(57)【要約】【課題】コンテンツを作成するためのコンテンツ作成用データを生成するデータ生成装置において、コンテンツの利用目的を特定し、その利用目的に対応付けた各種データを利用可能なリソースから抽出して当該コンテンツのコンテンツ作成用データを生成する。【解決手段】データ生成装置１０は、コンテンツを作成するためのコンテンツ作成用データの生成に必要なデータの種類を、コンテンツの利用目的に対応付けてなる利用目的情報１４を記憶した記憶部１６、利用可能なリソース１１及び該リソース１１から抽出可能なデータの種類を判定するリソース判定部１２、抽出可能と判定されたデータの種類に応じた利用目的を利用目的情報１４から選択する利用目的選択部１３、選択された利用目的に対応付けられたデータを利用可能なリソース１１から抽出し、抽出したデータを関連付けて前記コンテンツ作成用データを生成するデータ抽出／生成部１５を備える。【選択図】図１
2006126964.tif 000002
【特許請求の範囲】
【請求項１】
コンテンツを作成するためのコンテンツ作成用データを生成するデータ生成装置において、前記コンテンツ作成用データの生成に必要なデータの種類をコンテンツの利用目的に対応付けてなる利用目的情報を記憶した記憶手段と、利用可能なリソース及び該リソースから抽出可能なデータの種類を判定するリソース判定手段と、該抽出可能なデータの種類に応じた利用目的を前記利用目的情報から選択する利用目的選択手段と、該選択された利用目的に対応付けられたデータを前記利用可能なリソースから抽出し、該抽出したデータを関連付けて前記コンテンツ作成用データを生成するデータ抽出／生成手段とを備えていることを特徴とするデータ生成装置。
【請求項２】
請求項１に記載のデータ生成装置において、ネットワークに接続する手段及び／又は放送を受信する手段を備え、前記利用可能なリソースは、前記データ生成装置が備えるデバイス、前記データ生成装置に外部接続可能なデバイス、前記ネットワークを介して接続されるＷｅｂサイト、前記受信した放送から得られる情報のいずれか１又は複数であることを特徴とするデータ生成装置。
【請求項３】
請求項１又は２に記載のデータ生成装置は、前記利用可能なリソースから抽出可能なデータは、画像データを含むことを特徴とするデータ生成装置。
【請求項４】
請求項１乃至３のいずれか１に記載のデータ生成装置において、前記データ抽出／生成手段により生成された前記コンテンツ作成用データに基づいてコンテンツを作成するコンテンツ作成手段を備えていることを特徴とするデータ生成装置。
【請求項５】
請求項４に記載のデータ生成装置において、前記コンテンツ作成手段は、前記コンテンツ作成用データから前記利用目的に関連する情報を生成し、その関連情報を前記コンテンツに合成することを特徴とするデータ生成装置。
【請求項６】
請求項１乃至５のいずれか１に記載のデータ生成装置において、前記利用目的選択手段は、前記利用目的情報から複数の利用目的を選択可能な場合、該複数の利用目的から所望の利用目的を選択させる手段を備えていることを特徴とするデータ生成装置。
【請求項７】
請求項１乃至６のいずれか１に記載のデータ生成装置において、前記データ抽出／生成手段により生成された前記コンテンツ作成用データを編集するためのデータ編集手段を備えていることを特徴とするデータ生成装置。
【請求項８】
請求項１乃至７のいずれか１に記載のデータ生成装置を備えた携帯端末。
【請求項９】
コンテンツを作成するためのコンテンツ作成用データを生成するデータ生成方法において、前記コンテンツ作成用データの生成に必要なデータの種類をコンテンツの利用目的に対応付けてなる利用目的情報を記憶手段に記憶して有し、利用可能なリソース及び該リソースから抽出可能なデータの種類を判定するステップと、該抽出可能なデータの種類に応じた利用目的を前記利用目的情報から選択するステップと、該選択された利用目的に対応付けられたデータを前記利用可能なリソースから抽出し、該抽出したデータを関連付けて前記コンテンツ作成用データを生成するステップとを有することを特徴とするデータ生成方法。
【発明の詳細な説明】
【技術分野】
【０００１】
本発明は、データ生成装置、携帯端末、及びデータ生成方法、より詳細には、ユーザの利用目的に応じてコンテンツ作成のためのコンテンツ作成用データを生成するデータ生成装置、該装置を備えた携帯端末、及びデータ生成方法に関する。
【背景技術】
【０００２】
近年、コンテンツデータの特徴、種類などの情報を示すメタデータを利用することでコンテンツの検索や利用が容易になってきた。しかしながら、デジタルカメラや、デジタルビデオカメラ（ムービー）等のように個人の情報を記録して利用するような状況ではコンテンツの利用目的（例えば、旅行アルバム作成など）が多岐にわたるため、メタデータの生成や、それらを用いたデータの編集、コンテンツの作成などが困難であった。
【０００３】
メタデータの生成に関する従来技術として、例えば、特許文献１には、外部から送信された付加情報としてのメタデータを記憶する記憶手段と、外部から送信されたメタデータとは別のメタデータを生成するメタデータ生成手段と、画像データを記録媒体に記録する記録手段とを有し、上記記憶手段からのメタデータ及びメタデータ生成手段からの別のメタデータを画像データと共に記録媒体に記録できるようにした画像データ記録装置が開示されている。
【特許文献１】特開２００１−２９２４１１号公報
【発明の開示】
【発明が解決しようとする課題】
【０００４】
しかしながら、個人で記録した画像データ等の情報を利用する場合には、メタデータが汎用的なために当該メタデータの生成に必要なデータを収集するのが大変な上に、その収集したデータの量が膨大になり、記憶領域が無駄に占有されてしまうという問題がある。このような状況下において、ユーザ個人の利用目的（ニーズ）に合わせてメタデータを生成することは難しかった。上記特許文献１においても、放送局等から送信される特定の画像データ及びそのメタデータを対象としているため、個人の利用目的に合わせてメタデータを生成することはできない。
【０００５】
本発明は、上述のごとき実情に鑑みてなされたものであり、コンテンツを作成するためのコンテンツ作成用データを生成するデータ生成装置において、コンテンツの利用目的を特定し、その利用目的に対応付けられた各種データを利用可能なリソースから抽出し、抽出したデータに基づいて当該コンテンツのコンテンツ作成用データを生成できるようにすること、を目的としてなされたものである。
【課題を解決するための手段】
【０００６】
上記課題を解決するために、本発明の第１の技術手段は、コンテンツを作成するためのコンテンツ作成用データを生成するデータ生成装置において、前記コンテンツ作成用データの生成に必要なデータの種類をコンテンツの利用目的に対応付けてなる利用目的情報を記憶した記憶手段と、利用可能なリソース及び該リソースから抽出可能なデータの種類を判定するリソース判定手段と、該抽出可能なデータの種類に応じた利用目的を前記利用目的情報から選択する利用目的選択手段と、該選択された利用目的に対応付けられたデータを前記利用可能なリソースから抽出し、該抽出したデータを関連付けて前記コンテンツ作成用データを生成するデータ抽出／生成手段とを備えていることを特徴としたものである。
【０００７】
第２の技術手段は、第１の技術手段において、ネットワークに接続する手段及び／又は放送を受信する手段を備え、前記利用可能なリソースは、前記データ生成装置が備えるデバイス、前記データ生成装置に外部接続可能なデバイス、前記ネットワークを介して接続されるＷｅｂサイト、前記受信した放送から得られる情報のいずれか１又は複数であることを特徴としたものである。
【０００８】
第３の技術手段は、第１又は第２のデータ生成装置は、前記利用可能なリソースから抽出可能なデータは、画像データを含むことを特徴としたものである。
【０００９】
第４の技術手段は、第１乃至第３のいずれか１の技術手段において、前記データ抽出／生成手段により生成された前記コンテンツ作成用データに基づいてコンテンツを作成するコンテンツ作成手段を備えていることを特徴としたものである。
【００１０】
第５の技術手段は、第４の技術手段において、前記コンテンツ作成手段は、前記コンテンツ作成用データから前記利用目的に関連する情報を生成し、その関連情報を前記コンテンツに合成することを特徴としたものである。
【００１１】
第６の技術手段は、第１乃至第５のいずれか１の技術手段において、前記利用目的選択手段は、前記利用目的情報から複数の利用目的を選択可能な場合、該複数の利用目的から所望の利用目的を選択させる手段を備えていることを特徴としたものである。
【００１２】
第７の技術手段は、第１乃至第６のいずれか１の技術手段において、前記データ抽出／生成手段により生成された前記コンテンツ作成用データを編集するためのデータ編集手段を備えていることを特徴としたものである。
【００１３】
第８の技術手段は、第１乃至第７のいずれか１の技術手段に記載のデータ生成装置を備えた携帯端末である。
【００１４】
第９の技術手段は、コンテンツを作成するためのコンテンツ作成用データを生成するデータ生成方法において、前記コンテンツ作成用データの生成に必要なデータの種類をコンテンツの利用目的に対応付けてなる利用目的情報を記憶手段に記憶して有し、利用可能なリソース及び該リソースから抽出可能なデータの種類を判定するステップと、該抽出可能なデータの種類に応じた利用目的を前記利用目的情報から選択するステップと、該選択された利用目的に対応付けられたデータを前記利用可能なリソースから抽出し、該抽出したデータを関連付けて前記コンテンツ作成用データを生成するステップとを有することを特徴としたものである。
【発明の効果】
【００１５】
本発明によれば、コンテンツを作成するためのコンテンツ作成用データを生成するデータ生成装置において、コンテンツの利用目的を特定し、その利用目的に対応付けられた各種データを利用可能なリソースから抽出し、抽出したデータに基づいて当該コンテンツのコンテンツ作成用データを生成できるため、ユーザは利用目的に応じたコンテンツ作成用データから所望のコンテンツを作成でき、また、コンテンツ作成用データに必要なデータのみを集められるので記憶領域を有効に利用することができる。
【発明を実施するための最良の形態】
【００１６】
図１は、本発明の一実施形態であるデータ生成装置の構成例を示すブロック図で、図中、１０はデータ生成装置で、該データ生成装置１０は、利用可能なリソース１１、リソース判定部１２、利用目的選択部１３、利用目的情報１４、データ抽出／生成部１５、記憶部１６、コンテンツ生成部１７を備えている。データ生成装置１０は、利用目的に応じたコンテンツ２を作成するために、コンテンツ作成用データを生成する。このコンテンツ作成用データとは、利用目的に応じたコンテンツ２を作成するためにコンテンツ２の内容（属性）や、コンテンツ２を構成するデータ（地図データなど）を関連付けしたデータであって、利用目的情報１４に含まれる利用目的（利用目的Ａ，Ｂ，…）毎に異なる。尚、以下の実施形態において、データ生成装置１０をデジタルカメラ付き携帯端末（例えば、デジタルカメラ機能を備えた携帯電話機、デジタルカメラ、デジタルビデオカメラなど）に適用した場合を代表例として説明するが、データ生成装置１０は、上記デジタルカメラ付き携帯端末に限らず、例えば、モバイル型デジタル放送受信機や、モバイル型ＨＤＤレコーダなどのデータ記録可能な携帯端末に適用することができる。
【００１７】
また、別の実施形態として、後述の図６に示すように、パーソナルコンピュータなどの端末装置にコンテンツ生成部１７を備えるようにして、データ生成装置１０ではコンテンツ作成用データの生成までを行う構成としてもよい。このような構成とした場合、データ生成装置１０は、コンテンツ生成部１７を備えていなくてもよい。
【００１８】
図１において、利用目的情報１４は、利用目的別にコンテンツを作成するために予め定められた情報であって、例えば、利用目的別に、“旅行アルバム”、“展示会視察レポート”、“家計簿”などが、それぞれのコンテンツ作成用データの生成に必要なデータの種類に対応付けされて記憶部１６に記憶されている。具体例として、利用目的情報１４に含まれる利用目的Ａが“旅行アルバム”の場合、コンテンツ作成用データの生成に必要なデータ（以下、しばしば素材データという）の種類としては、例えば、ＧＰＳ等の位置情報（座標）、地図データ、撮影時の気象データ、地名、解説などを含み、これらの素材データを関連付けて当該コンテンツのコンテンツ作成用データが生成される。そして、これらコンテンツ作成用データと、デジタルカメラで撮影された画像データ等からコンテンツ２が作成される。
【００１９】
また、利用目的情報１４に含まれる利用目的Ｂが“展示会視察レポート”の場合、素材データの種類としては、例えば、展示品の解説データや、時間情報などを含み、これらの素材データを関連付けて当該コンテンツのコンテンツ作成用データが生成される。そして、これらコンテンツ作成用データと、デジタルカメラで撮影された画像データ等からコンテンツ２が作成される。尚、上記画像データに付加されるメタデータを素材データとして取得してもよい。このメタデータには、一般に撮影日時、撮影者、タイトル、ＩＤ情報など画像データを識別するための情報が含まれている。
【００２０】
利用可能なリソース１１は、データ生成装置１０が利用可能なデバイスや情報源などであって、データ生成装置１０に内蔵あるいは外部接続される各種デバイスや、ネットワークを介して接続されるＷｅｂサイト、デジタル放送などから得られる情報などである。本実施形態では、画像データを取得するためのデジタルカメラ機能（図示せず）、位置情報を取得するためのＧＰＳ（Ｇｌｏｂａｌ  Ｐｏｓｉｔｉｏｎｉｎｇ  Ｓｙｓｔｅｍ）機能１１ａ、課金情報などを記憶できるＩＣカード機能１１ｂ、ネットワークインタフェース（ネットワークＩ／Ｆ）１１ｃを介して接続されるＷｅｂサイト１などの各種リソースが利用可能となる。これらのリソースは少なくとも１つ利用可能な状態であればよい。また、ネットワークＩ／Ｆ１１ｃを備える構成とした場合、データ生成装置１０は、インターネットなどのネットワークに接続し、Ｗｅｂサイト１から各種素材データ（地図データや、気象データ、地名、解説など）をダウンロードして取得することができる。
【００２１】
リソース判定部１２は、利用可能なリソース１１及びそのリソース１１から抽出可能なデータの種類を判定する。これにより、データ生成装置１０により抽出可能なデータの種類がわかる。例えば、データ生成装置１０が、ＧＰＳ機能１１ａ、ＩＣカード機能１１ｂ、ネットワークＩ／Ｆ１１ｃを備えている場合、これらリソースから抽出可能なデータの種類は、位置情報、課金情報、地図データなどであることがわかる。また、リソース判定部１２による判定結果をデータ生成装置１０の画面上に表示させるようにしてもよい。これにより、複数のリソースが利用可能と判定された場合、ユーザはどのリソースが利用可能なのかあるいは利用できないのかを知ることができる。
【００２２】
利用目的選択部１３は、リソース判定部１２により抽出可能と判定されたデータの種類に応じた利用目的を利用目的情報１４（記憶部１６）から選択する。例えば、利用可能なリソース１１から位置情報（ＧＰＳ機能１１ａ）や地図データ（Ｗｅｂサイト１）などが抽出可能と判定された場合、位置情報や地図データなどに応じた利用目的Ａ、すなわち“旅行アルバム”が選択される。この際、リソース１１から抽出可能なデータの種類に、利用目的に対応付けられたデータの種類が含まれていればよい。これは、リソース１１の構成に応じてはより多くのデータを抽出することができるため、リソース１１は、上記利用目的に対応付けられたデータの種類よりも多くのデータの種類を保持していてもよい。
【００２３】
データ抽出／生成部１５は、上記選択された利用目的Ａ、すなわち“旅行アルバム”に対応付けられたデータ（すなわち、素材データ）を、利用可能なリソース１１（ＧＰＳ機能１１ａ及びＷｅｂサイト１）から抽出し、抽出したデータを関連付けてコンテンツ２のコンテンツ作成用データを生成する。
【００２４】
尚、利用目的選択部１３は、複数の利用目的を選択可能な場合、その複数の利用目的から所望の利用目的を選択させる手段を備えるようにしてもよい。例えば、データ生成装置１０は、その画面上に複数の利用目的を選択可能な状態で表示させ、ユーザから選択指示された利用目的の素材データを、利用可能なリソース１１から抽出する。
【００２５】
さらに、コンテンツ生成部１７は、データ抽出／生成部１５により生成されたコンテンツ作成用データに基づいてコンテンツ２を作成する。この際、コンテンツ作成部１７は、上記コンテンツ作成用データから利用目的Ａ、すなわち“旅行アルバム”に関連する情報を生成し、その関連情報をコンテンツデータに合成してもよい。上記関連情報としては、例えば、旅行の日程や、天候、気候（最高温度や最低温度など）、旅行に要した時間など、コンテンツの内容を総括するような情報を含むことができる。
【００２６】
図２は、本発明が適用されるデータ生成方法の一例を説明するためのフロー図である。尚、本例は、図１に示したデータ生成装置１０に基づいて説明するものとする。尚、記憶部１６には、コンテンツ作成用データの生成に必要なデータの種類をコンテンツの利用目的に対応付けした利用目的情報１４が記憶されている。まず、データ生成装置１０のリソース判定部１２は、利用可能なリソース１１を判定し、利用可能と判定したリソースから抽出できるデータの種類を特定し（ステップＳ１）、利用目的選択部１３は、特定されたデータの種類に応じた利用目的を利用目的情報１４（記憶部１６）から選択する（ステップＳ２）。例えば、利用目的Ａの“旅行アルバム”が選択される。
【００２７】
次に、データ抽出／生成部１５は、上記利用目的に対応付けられたデータ（コンテンツ作成用データ生成用データ）を、利用可能なリソース１１から抽出し、抽出したデータを関連付けしてコンテンツのコンテンツ作成用データを生成する（ステップＳ３）。次に、コンテンツ生成部１７は、生成されたコンテンツ作成用データに基づいてコンテンツの関連情報及びそのコンテンツデータを作成し、作成したコンテンツ（コンテンツ２）を出力する（ステップＳ４）。
【００２８】
図３は、本発明のデータ生成装置１０によるコンテンツ作成用データ生成処理の一例を説明するための図で、図中、２１〜２３はコンテンツ作成用データ、２４は合成コンテンツを示す。この合成コンテンツ２４はコンテンツデータ２５及び関連情報２６から構成されている。尚、本例では、データ生成装置１０をＧＰＳ内蔵デジタルカメラ付き携帯電話機（携帯電話機１０）とし、利用目的が“旅行アルバム”の場合の一例について説明する。
【００２９】
まず、携帯電話機１０において、利用可能なリソース１１から“旅行アルバム”のコンテンツ作成用データの生成が選択される（Ｓ１１）。これはユーザ選択とする。生成された状態をコンテンツ作成用データ２１〜２３に示す。コンテンツ作成用データ２１〜２３は、利用可能なリソース１１から抽出された画像データ、地名、位置情報（座標）、解説などのデータが関連付けされている。さらに、携帯電話機１０は、これらのコンテンツ作成用データに基づいて、コンテンツデータ２５及びその関連情報２６を作成し、これらを合成して“旅行アルバム”の合成コンテンツ２４を作成する（Ｓ１２）。尚、関連情報２６には、例えば、日時情報、天候、気候、所要時間などの情報が含まれる。
【００３０】
尚、本実施形態では、地名や解説などの文字データが表示されていないが、コンテンツデータ２５の各画像や、地図上の該当箇所に上記文字データへのリンクを張り、ユーザが画像や地図上の該当箇所を選択したときに、対応する文字データを表示させるようにしてもよい。
【００３１】
図４は、本発明のデータ生成装置１０によるコンテンツ作成用データ生成処理の他の例を説明するための図で、図中、３１〜３３はコンテンツを作成するためのコンテンツ作成用データ、３４は合成コンテンツを示す。この合成コンテンツ３４はコンテンツデータ３５及び関連情報３６から構成されている。尚、本例では、データ生成装置１０をＩＣカード内蔵デジタルカメラ付き携帯電話機（携帯電話機１０）とし、利用目的が“家計簿”の場合の一例について説明する。
【００３２】
本実施形態においても、図３と同様に、まず、携帯電話機１０において、利用可能なリソース１１から“家計簿”のコンテンツ作成用データの生成が選択される（Ｓ２１）。これはユーザ選択とする。生成された状態をコンテンツ作成用データ３１〜３３に示す。コンテンツ作成用データ３１〜３３は、利用可能なリソース１１から抽出された画像データ、名前、価格、分類などのデータが関連付けされている。さらに、携帯電話機１０は、これらのコンテンツ作成用データに基づいて、コンテンツデータ３５及びその関連情報３６を作成し、これらを合成して“家計簿”の合成コンテンツ３４を作成する（Ｓ１２）。尚、関連情報３６には、例えば、日時情報、総額、内訳などの情報が含まれる。
【００３３】
尚、本実施形態では、コンテンツデータ３５に画像データが表示されていないが、コンテンツデータ３５の名前（ＸＸ岳、ＹＹ岳、ＺＺ渓谷休憩所など）等に上記画像データへのリンクを張り、ユーザが当該リンク箇所を選択したときに、対応する画像データを表示させるようにしてもよい。
【００３４】
図５は、本発明の他の実施形態であるデータ生成装置の構成例を示すブロック図で、データ生成装置１０は、利用可能なリソース１１、リソース判定部１２、利用目的選択部１３、利用目的情報１４、データ抽出／生成部１５、記憶部１６、コンテンツ生成部１７に加えて、さらにデータ編集部１８を備えている。このデータ編集部１８は、データ抽出／生成部１５により生成され記憶部１６に記憶されたコンテンツ作成用データを編集するための手段であって、このコンテンツ作成用データが編集された場合、コンテンツ生成部１７は編集箇所を反映したコンテンツを作成することができる。例えば、リソースから抽出した解説データなどにユーザ個人の感想などを追記したり、感想欄などをコンテンツ作成用データに新たに追加してコンテンツをより充実したものにすることができる。
【００３５】
本実施形態のデータ生成装置１０は、利用可能なリソース１１として、ＧＰＳ機能１１ａ、ＩＣカード機能１１ｂ、ネットワークＩ／Ｆ１１ｃに加えて、さらに、放送受信Ｉ／Ｆ１１ｄを備えており、地上デジタル放送などの放送３を受信できるようにしてもよい。これにより、放送３に含まれる各種メタデータを取得することができる。
【００３６】
図６は、本発明の一実施形態であるコンテンツ作成システムの構成例を示す図で、データ生成装置１０は、無線あるいは有線のネットワーク２０を介して端末装置１９と接続されている。端末装置１９は、パーソナルコンピュータ（ＰＣ）などであって、前述したコンテンツ生成部１７を備えており、データ生成装置１０からネットワーク２０を介してコンテンツ作成用データを取得し、そのコンテンツ作成用データに基づいてコンテンツを作成、出力することができる。端末装置１９においてコンテンツを作成、出力することにより、作成したコンテンツをより大きな画面に表示させたり、接続したプリンタから印刷出力させるなどの処理を容易に行うことが可能となり、さらに、作成したコンテンツの保存、管理を容易に行うことができる。
【００３７】
尚、本発明のデータ生成装置及び方法は、上記した各実施の形態に限定されるものではなく、本発明の要旨を逸脱しない範囲内において種々変更を加え得ることは勿論である。
【図面の簡単な説明】
【００３８】
【図１】本発明の一実施形態であるデータ生成装置の構成例を示すブロック図である。
【図２】本発明が適用されるデータ生成方法の一例を説明するためのフロー図である。
【図３】本発明のデータ生成装置によるコンテンツ作成用データ生成処理の一例を説明するための図である。
【図４】本発明のデータ生成装置によるコンテンツ作成用データ生成処理の他の例を説明するための図である。
【図５】本発明の他の実施形態であるデータ生成装置の構成例を示すブロック図である。
【図６】本発明の一実施形態であるコンテンツ作成システムの構成例を示す図である。
【符号の説明】
【００３９】
１…Ｗｅｂサイト、２…コンテンツ、３…放送、１０…データ生成装置（デジタルカメラ付き携帯端末）、１１…利用可能なリソース、１１ａ…ＧＰＳ機能、１１ｂ…ＩＣカード機能、１１ｃ…ネットワークＩ／Ｆ、１１ｄ…放送受信Ｉ／Ｆ、１２…リソース判定部、１３…利用目的選択部、１４…利用目的情報、１５…データ抽出／生成部、１６…記憶部、１７…コンテンツ生成部、１８…データ編集部、１９…端末装置、２０…ネットワーク、２１〜２３，３１〜３３…コンテンツ作成用データ、２４，３４…合成コンテンツ、２５，３５…コンテンツデータ、２６，３６…関連情報。
【図１】
2006126964.tif 000003
【図２】
2006126964.tif 000004
【図３】
2006126964.tif 000005
【図４】
2006126964.tif 000006
【図５】
2006126964.tif 000007
【図６】
2006126964.tif 000008